(57)【要約】【課題】例えばＣＤ出力中にメモリカードに録音指示したとき、メモリカードが挿入されておらずその後メモリカードを挿入するとメモリカードの出力に切り換えられ、再度ＣＤ出力選択と録音指示を行わなければならず面倒であった。【解決手段】オーディオ出力ソース選択部２５では、通常の出力の切換作動として、例えばＣＤ４５の出力中に挿抜可能で録音可能なソースとしてメモリカード４９を挿入したとき、メモリカードの出力に切り換える。しかし、例えばＣＤ４５の出力中にメモリカード４９に録音指示したとき、メモリカードが挿入されていないことをメディア挿抜検出部３０で検出したときには、オーディオ出力ソース選択部２５は、メディア挿入時期検出部３１で所定時間内にメモリスティックが挿入されたことを検出した際は、メモリスティックへの出力切り換えを行わず、メモリスティックへの録音を直ちに開始する。【選択図】        図１
2005004937.tif 000002
【特許請求の範囲】
【請求項１】
少なくとも１つは録音または録画が可能な挿抜可能メディアを扱うソースを含む複数のソースと、
前記複数のソースの内の１つを選択して出力する出力ソース選択手段と、
前記挿抜可能メディアがソースに挿入されているか否かを検出するメディア挿抜検出手段とを備え、
前記出力ソース選択手段は、１つのソースの出力時で前記メディア挿抜検出手段がメディアの挿入を検出したときには、メディア挿抜可能ソースの出力に切り換える切換手段と、前記１つのソースの出力時で前記挿抜可能メディアへの録音または録画指示入力時に、前記メディア挿抜検出手段がメディアが挿入されていないことを検出したときには、その後にメディア挿抜検出手段がメディアの挿入を検出しても、前記メディア挿抜可能ソースの出力に切り換えない切換制限手段とを備えたことを特徴とするプレーヤ。
【請求項２】
前記挿抜可能メディアの挿入時期を検出するメディア挿入時期検出手段を備え、
前記切換制限手段は、前記メディア挿入時期検出手段が前記メディア挿抜可能ソースへの録音または録画指示入力後の所定時間経過以前に前記メディアの挿入を検出したときに、前記切換制限を行うことを特徴とする請求項１記載のプレーヤ。
【請求項３】
前記挿抜可能メディアのソースへの挿入時期を検出するメディア挿入時期検出手段を備え、
前記メディア挿入時期検出手段が前記メディア挿抜可能ソースへの録音または録画指示入力後の所定時間経過以前に前記メディアの挿入を検出しないときには、前記録音または録画の指示を解消する手段を備えたことを特徴とする請求項１記載のプレーヤ。
【請求項４】
前記メディア挿抜検出手段が、挿抜可能メディアへの録音または録画指示入力後に当該メディアの挿入を検出したとき、前記出力ソース選択手段で選択している前記ソースの出力と、当該メディアへの録音または録画とを開始することを特徴とする請求項１記載のプレーヤ。
【請求項５】
前記メディア挿抜検出手段が、挿抜可能メディアへの録音または録画指示入力後に当該メディアの挿入を検出した後、前記出力ソース選択手段で選択している前記ソースの出力開始指示入力時に、当該メディアへの録音または録画を開始することを特徴とする請求項１記載のプレーヤ。
【請求項６】
前記メディア挿抜検出手段が、前記挿抜可能メディアへの録音または録画指示入力時にメディアが挿入されていないことを検出したとき、前記出力ソース選択手段で選択している前記ソースの出力を一時停止することを特徴とする請求項１記載のプレーヤ。
【請求項７】
前記録音または録画指示入力時に、録音または録画の著作権保護の状態を検出する著作権保護検出手段を備え、
前記切換制限手段は、前記著作権保護検出手段が前記録音または録画は著作権保護により不能であることを検出したとき、前記切換制限を行わないことを特徴とする請求項１記載のプレーヤ。
【請求項８】
前記著作権保護検出手段は、出力ソースの著作権保護の状態と、録音ソースの著作権保護の状態とを検出することを特徴とする請求項７記載のプレーヤ。
【請求項９】
前記挿抜可能メディアの録音または録画制限を検出する録音または録画制限検出手段を備え、
前記録音または録画制限検出手段が前記録音または録画指示は前記挿抜可能メディアに対する指示として不適切であることを検出したとき、前記切換制限を行わないことを特徴とする請求項１記載のプレーヤ。
【請求項１０】
プレーヤの作動終了時に選択出力していたソースを記憶するメモリを備え、
前記出力ソース選択手段は、プレーヤの作動開始時に前記メモリに記憶しているソースを選択して出力することを特徴とする請求項１記載のプレーヤ。
【請求項１１】
前記メモリにはプレーヤ作動終了時に選択出力していたソースの出力終了位置も記憶し、
前記出力選択手段は、プレーヤの作動開始時に前記メモリに記憶しているソースを選択し、前記メモリに記憶している当該ソースの出力終了位置から作動を開始することを特徴とする請求項１０記載のプレーヤ。
【請求項１２】
前記挿抜可能メディアを扱うソースを含む複数の録音または録画可能ソースと、
前記複数の録音または録画可能ソースの内１つを選択する録音または録画ソース選択手段と、
前記録音または録画指示入力時にいずれの録音または録画可能ソースを選択するかを記憶するメモリとを備え、
前記録音または録画ソース選択手段は、他からの選択指示がないときには前記メモリに記憶した録音または録画可能ソースを選択することを特徴とする請求項１記載のプレーヤ。
【請求項１３】
前記出力ソース選択手段は、前記メディア挿抜検出手段によりメディアが挿入されている録音または録画可能ソースを検出して選択することを特徴とする請求項１記載のプレーヤ。
【請求項１４】
利用者に操作の案内を行う利用者案内用出力手段を備え、
前記メディア挿抜検出手段が前記挿抜可能メディアへの録音または録画指示入力時に当該メディアが挿入されていないことを検出したとき、利用者に当該メディアの挿入を促す出力を行うことを特徴とする請求項１記載のプレーヤ。
【請求項１５】
前記利用者への操作の案内は、所定の制限以内において行うことを特徴とする請求項１４記載のプレーヤ。
【発明の詳細な説明】
【０００１】
【発明の属する技術分野】
本発明は、オーディオ出力するオーディオプレーヤ、或いはテレビやビデオ映像を出力するビデオプレーヤ等のプレーヤに関し、特に録音や録画指示を行ったときに、録音や録画を行うメディアをその後挿入してもそのまま録音や録画を行うことができるようにしたプレーヤに関する。
【０００２】
【従来の技術】
オーディオを出力する機器においては、近年のオーディオ技術の進歩により、従来から用いられているラジオ放送受信機、ＣＤプレーヤ、ＭＤプレーヤ、カセットテーププレーヤ等を初めとして、ＭＰ３方式で圧縮録音したオーディオデータを記録したＣＤ−ＲまたはＣＤ−ＲＷを再生するプレーヤ、同様のオーディオデータを記録するメモリーチップを内蔵しているメモリーカード再生機、ＤＡＴプレーヤ、ＤＶＤオーディオプレーヤ等の種々のオーディオソースも利用されるようになっている。
【０００３】
オーディオプレーヤにおいては、これらの種々のオーディオソースに関し、ラジオ受信機を含め個々のプレーヤとして利用されることもあるが、これらの多くのオーディオソースを出力する装置においては、その内の任意のソースを選択し、できる限り共通のメディア駆動部、及びオーディオ回路を利用することができるようにした多数のソース付きオーディプレーヤとしているものが多い。
【０００４】
特に車両用オーディオ装置においては、狭いスペースにできる限り多くの種類のオーディオソースを取り扱うことができるように考慮することが多く、オーディオデータを圧縮して大量に記録することができるＭＤＬＰ、特にＭＰ３方式でオーディオデータを圧縮して記録するＣＤ−Ｒ等のメディアを再生することができるようにし、家のプレーヤ、或いはパソコンでこれらのメディアを作成して、車両においてはこれらを再生することができるカーオーディオを装備して聴くことが多くなっている。特にメモリチップを内装しているメモリカードは近年大容量化しており、オーディオ機器においてもこれを装填するスペースは極めて小さなもので済むため、カーオーディオとして特に好ましいメディアとして注目されている。
【０００５】
これらのオーディオソースを適宜組み合わせて出力することができるようにしているカーオーディオ装置のようなオーディオプレーヤにおいては、例えばオーディオプレーヤの機器表面に設けた選択スイッチ、或いはリモコンに設けた選択スイッチを操作することにより、利用者は任意のオーディオソースを選択して出力させることができるようになっている。
【０００６】
更に、上記のような種々のオーディオソースにおいては、これを単に再生する以外に利用者が任意に録音することができるメディアも多く存在し、例えばカセットテープを初めとしてＭＤプレーヤのように、そのオーディオプレーヤで直接オーディオを録音することができるようにしているものもある。このようにそのプレーヤで直接録音するプレーヤとしては、ＣＤ−Ｒ、ＣＤ−ＲＷにも書き込むことができるようにしたもの、メモリカードに対してもそのプレーヤで直接書き込むことができるようにしたものも提案されている。その際には、１つのオーディオプレーヤで複数の録音用ソースを備え、任意のオーディオソースのメディアに録音することができるようになる。
【０００７】
上記のような種々のオーディオソースを大別すると、例えばラジオ放送受信機やハードディスクのように、オーディオプレーヤの機器に直接内装しているオーディオソースと、そのほかのＣＤ、ＭＤ、メモリーカード等のようにオーディオデータを記録するメディアをプレーヤから挿抜するオーディオソースが存在する。また、これらのオーディオソースにおいて、録音可能なオーディオソースで挿抜可能なものも多い。
【０００８】
これらの挿抜可能なソースについては、これらのオーディオソースに挿抜するメディアを利用者がオーディオプレーヤに挿入したとき、利用者はその挿入したメディアに記録したオーディオデータを再生したいものと判別し、挿入したメディア用のプレーヤを自動的にそのメディアの再生作動の準備を行い、或いは実際に再生作動を行うようにしている。
【０００９】
また、例えば下記特許文献１に示されるように、挿抜式メディアの再生を停止したときには、その再生終了位置を不揮発性メモリに記録しておき、その後同じメディアを再生するとき、記録していた再生終了位置を読み出し、以前に再生を終了した位置から再生を開始することができるようにしたものも存在する。
【００１０】
一方、映像を出力する機器に関しても、近年のＡＶ技術の進歩により、従来から用いられているテレビ受信機やカセットビデオデッキを初めとして、市販のＤＶＤを再生するＤＶＤプレーヤ、及びＤＶＤディスクを用いてテレビ放送等を記録しこれを再生するＤＶＤ−ＲやＤＶＤ−ＲＷ、或いはＤＶＤ＋ＲやＤＶＤ＋ＲＷ、更にはＤＶＤ−ＲＡＭ等のプレーヤも用いられるようになっている。更に、ハードディスクを用いてテレビ等を録画することも行われ、自作のＤＶ映像をハードディスクに記録して鑑賞し、また編集して各種の書き込み可能なＤＶＤに記録して鑑賞することも多くなっている。
【００１１】
特にハードディスクの小型大容量化と低価格化に伴い、前記のようなオーディオ機器も含め、各種機器に搭載されるようになり、車両にもナビゲーション装置を初めオーディオ装置に利用されるようになり、映像の記録にも利用可能となっている。また、近年のメモリカードの大容量化によって１枚で数Ｇバイトの記憶容量を備えたものも用いられるようになりつつあり、そのようなメモリカードにテレビ映像を記録し、これをメモリカード対応の映像再生機器で再生して利用することも行われるようになっている。
【００１２】
このようなメモリカードは極めて小型のため、車両用ＡＶ機器にも容易にその再生装置を装備することができ、特に鮮明な映像を受信できる地上デジタルテレビ放送受信機の普及と、そのようなテレビ放送受信機能付きのナビゲーション装置の普及により、そのモニタ画面でテレビ放送を多数視聴することができるようになる。また、その際には、テレビの視聴中に予め挿入しているメモリカードに気に入った映像を録画して再度観ることができるようにし、これを持ち出して別のプレーヤで観ることもできるようにもなる。このことは車両用に限らず、家庭用のＡＶ機器においても当然行われるようになる。
【００１３】
【特許文献１】
特開平５−３６１９２号公報
【００１４】
【発明が解決しようとする課題】
上記のように、オーディオプレーヤ及びビデオプレーヤにおいて、種々の挿抜式のソースが利用されるようになり、且つ録音・録画可能な挿抜式のソースも多くなっている。このような録音・録画可能な挿抜式のソースを再生する機能を備えたプレーヤにおいては、例えばラジオを聴いているとき気に入った曲が流れたときには録音ボタンを押して直ちに録音することが可能となる。特にメモリカードのようなソースは録音の指示後直ちに録音が可能であり、取り扱いやすいソースであるため、今後は広く利用されるようになると推測される。
【００１５】
また、上記のようなメモリカードはオーディオデータの読み書き速度も速く、録音時のデータ劣化もないため、例えばＣＤや、ＣＤ−Ｒに記録した曲の任意の曲を抽出してメモリカードにコピーし、メモリカードのオーディオデータを再生して聴くことが容易にできるようになる。
【００１６】
このようにオーディオプレーヤでラジオを聴いているとき、これから放送する曲を直ちにメモリカード等に録音したいと思ったとき、或いはＣＤやＣＤ−Ｒの再生中、或いは再生待機状態に特定の曲をメモリカードにコピーしたいと思ったとき、録音の指示を行った際に、メモリカードの挿入用スロットにメモリカードが挿入されていなかったときには、メモリカードの挿入を促す案内の画面出力や警告音出力を行って、利用者のメモリカードの挿入を待つこととなる。
【００１７】
その後、利用者がスロットにメモリカードを挿入すると、従来のプレーヤは前記のように、挿抜式オーディオソースにメディアが挿入されたときには、利用者はそのメディアのオーディオデータを再生して出力することを希望しているものと見なして、プレーヤの出力を現在例えばラジオの出力状態であっても、その挿抜式ソースを出力する側に切り換えることとなる。このことは同様に、そのオーディオプレーヤが例えばＣＤの再生側に切り換えられているとき、特定の曲をメモリカードにコピーする指示を行ったときも、メモリカードがスロットに挿入されていないときには、これを挿入すると自動的にメモリカードの再生出力側に切り換わることとなる。
【００１８】
そのため、上記のようにラジオの曲を録音したいと思って至急メモリスロットにメモリカードを挿入したときでも、プレーヤがメモリカード再生側に切り換わってしまうため、再度ラジオ出力側に切り換え、その後再度録音操作をすることによってようやく録音を開始することとなる。そのときには録音したいと思った曲の放送はかなり過ぎてしまい、その曲は満足に録音できないこととなる。ＣＤの曲をメモリカードにコピーしたいと思ったときも同様であり、メモリカードをスロットに挿入することにより自動的にメモリカードの再生出力側に切り換わったプレーヤを、またＣＤ再生側に切り換え、その後再び録音操作を行う必要があり、面倒である。
【００１９】
このことはオーディオプレーヤにおいて前記のようなメモリカードに録音するときに限らず、カセットテープに録音するときにカセットが装填されていないとき、或いはそのプレーヤがＣＤ−ＲやＣＤ−ＲＷに録音する機能を備えているときも同様であり、他の挿抜式メディアを利用するオーディオソースに録音する場合も同様である。
【００２０】
更に、映像を出力するビデオプレーヤにおいても同様であり、例えばＤＶＤ−ＲやＲＷのビデオのチューナによってテレビを観ているとき、直ちに録画したいと思ったときにＤＶＤ−Ｒが挿入されていなかった場合には、録画可能なＤＶＤの挿入を促す画面表示等によってＤＶＤ−Ｒを挿入するとき、そのプレーヤは予め設定された前記のような作動によって、ＤＶＤ−Ｒを再生するために映像出力をＤＶＤ−Ｒ側に切り換えてしまう。そのため利用者は再び映像出力をテレビ出力に切り換え、録画操作する必要がある。このことはＤＶＤ−Ｒに録画するときばかりでなく、今後普及が予想される前記のような大容量のメモリーカードに録画する場合のように、挿抜式ソースに録画するときにおいて、録画するメディアが挿入されていないときは同様の問題を生じる。
【００２１】
なお、挿抜式録画可能ソースを利用して録画を行う際、例えばラジオを聴いているときカセットテープに録音する際、カセットテープが装填されていない場合にその後カセットテープを装填した場合にもカセットテープの再生に切り換えないもの、同様にテレビ放送受信機付きカセット式ビデオテープレコーダーにおいてテレビを観ているときビデオテープに録画する際、ビデオテープが装填されていない場合にその後ビデオテープを装填した場合にもビデオテープの再生側に切り換えることが無く、そのままラジオ出力、或いはテレビ出力がなされるプレーヤも存在する。
【００２２】
しかしながらこのようなプレーヤにおいても、カセットテープやビデオテープを装填した後再び録音或いは録画操作を行わなければならず面倒であり、このようなプレーヤはそもそもラジオを聴いているときカセットテープを装填してカセットテープを使おうとしてもカセットテープの再生操作や録音操作を行わなければカセットテープの出力や録音を行うことができないものであり、同様にビデオテープレコーダーによってテレビを観ているときビデオテープを装填してビデオを使おうとしてもビデオテープの再生操作や録画操作を行わなければビデオテープの出力や録画を行うことができないものである。
【００２３】
したがって本発明は、プレーヤが特定のソースの出力側に切り換えられているときに挿抜式ソースにメディアを挿入した際、そのプレーヤを挿抜式ソースの再生出力側に自動的に切り換える機能を備えたプレーヤにおいて、その特定のソースの出力側に切り換えているとき挿抜式ソースに対して録音または録画指示を行った際においてメディアが挿入されていない場合には、メディアが挿入されたときに直ちに録音または録画を開始することができるようにしたプレーヤを提供することを目的する。
【００２４】
【課題を解決するための手段】
本発明に係るプレーヤは、上記課題を解決するため、少なくとも１つは録音または録画が可能な挿抜可能メディアを扱うソースを含む複数のソースと、前記複数のソースの内の１つを選択して出力する出力ソース選択手段と、前記挿抜可能メディアがソースに挿入されているか否かを検出するメディア挿抜検出手段とを備え、前記出力ソース選択手段は、１つのソースの出力時で前記メディア挿抜検出手段がメディアの挿入を検出したときには、メディア挿抜可能ソースの出力に切り換える切換手段と、前記１つのソースの出力時で前記挿抜可能メディアへの録音または録画指示入力時に、前記メディア挿抜検出手段がメディアが挿入されていないことを検出したときには、その後にメディア挿抜検出手段がメディアの挿入を検出しても、前記メディア挿抜可能ソースの出力に切り換えない切換制限手段とを備えたものである。
【００２５】
このように構成することにより、このプレーヤが通常の態様として、１つのソースの出力時でメディア挿抜検出手段がメディアの挿入を検出したときには、メディア挿抜可能ソースの出力に切り換える作動を行うのに対して、前記１つのソースの出力時で前記挿抜可能メディアへの録音または録画指示入力時に、メディア挿抜検出手段がメディアが挿入されていないことを検出したときには、その後にメディア挿抜検出手段がメディアの挿入を検出しても、メディア挿抜可能ソースの出力に切り換えないようにすることができる。
【００２６】
そのためこのプレーヤにおいては、例えばＣＤの再生出力中にメモリカードを挿入したときには直ちにメモリカードの再生を行うように切り換えるのに対して、上記のようなＣＤの再生出力中にメモリカードに録音を行う指示を行ったとき、メモリカードがスロットに挿入されておらず、その後にメモリカードをスロットに挿入したときにはメモリカードの再生を行うように切り換えてしまい、再びＣＤの再生出力に切換操作を行ってから録音操作を行う、というような複雑な操作を行う必要が無く、ＣＤにおけるメモリカードへの録音待機状態を維持することができ、操作回数を減らすことが可能となる。
【００２７】
また、本発明に係る他のプレーヤは、前記プレーヤにおいて、前記挿抜可能メディアの挿入時期を検出するメディア挿入時期検出手段を備え、前記切換制限手段は、前記メディア挿入時期検出手段が前記メディア挿抜可能ソースへの録音または録画指示入力後の所定時間経過以前に前記メディアの挿入を検出したときに、前記切換制限を行うようにしたものである。このように構成することにより、前記のような作動例において、ＣＤの再生出力中にメモリカードに録音しようとしたとき、メモリカードがスロットに挿入されておらず、その後にメモリカードを挿入する際、その挿入が所定時間以上経過したときには前記ＣＤの録音のためにメモリカードを挿入したものとはせずに、メモリカードの再生を行うために挿入したものと見なすことができ、いつまでも前記のような切換制限機能を継続させないようにして、利用しやすいプレーヤとすることができる。
【００２８】
また、本発明に係る他のプレーヤは、前記プレーヤにおいて、前記挿抜可能メディアのソースへの挿入時期を検出するメディア挿入時期検出手段を備え、前記メディア挿入時期検出手段が前記メディア挿抜可能ソースへの録音または録画指示入力後の所定時間経過以前に前記メディアの挿入を検出しないときには、前記録音または録画の指示を解消する手段を備えたものである。このように構成することにより、前記のような作動例において、ＣＤの再生出力中にメモリカードに録音しようとしたとき、メモリカードがスロットに挿入されておらず、そのまま挿入されない状態が所定時間以上経過したときには録音の指示を解消して、録音待機状態から先のメディアの出力をそのまま継続する状態に切り換えることが可能となる。
【００２９】
また、本発明に係る他のプレーヤは、前記プレーヤにおいて、前記メディア挿抜検出手段が、挿抜可能メディアへの録音または録画指示入力後に当該メディアの挿入を検出したとき、前記出力ソース選択手段で選択している前記ソースの出力と、当該メディアへの録音または録画とを開始するようにしたものである。このように構成することにより、前記のような作動例において、ＣＤの再生出力中にメモリカードに録音しようとしたとき、メモリカードがスロットに挿入されておらず、その後にメモリカードを挿入する際、そのメモリカードの挿入後利用者が何ら操作することなく直ちにＣＤの再生出力とメモリカードへの録音を開始することができ、利用しやすいプレーヤとすることができる。
【００３０】
また、本発明に係る他のプレーヤは、前記プレーヤにおいて、前記メディア挿抜検出手段が、挿抜可能メディアへの録音または録画指示入力後に当該メディアの挿入を検出した後、前記出力ソース選択手段で選択している前記ソースの出力開始指示入力時に、当該メディアへの録音または録画を開始するようにしたものである。このように構成することにより、前記のような作動例において、ＣＤの再生出力中にメモリカードに録音しようとしたとき、メモリカードがスロットに挿入されておらず、その後にメモリカードを挿入する際、そのメモリカードの挿入後に利用者がＣＤの再生位置等のプレーヤの状態を確認した後、ＣＤの再生指示或いは録音指示等の出力開始指示を行うことによって初めて先の録音操作を有効にすることができ、不用意な録音を行わないようにすることができる。なお、このような操作を行う場合でも、メモリカードを挿入時には常にメモリカードの再生出力に切り換えてしまうものよりは、その操作回数を減らすことができる。
【００３１】
また、本発明に係る他のプレーヤは、前記プレーヤにおいて、前記メディア挿抜検出手段が、前記挿抜可能メディアへの録音または録画指示入力時にメディアが挿入されていないことを検出したとき、前記出力ソース選択手段で選択している前記ソースの出力を一時停止するようにしたものである。このように構成することにより、前記のような作動例において、ＣＤの再生出力中にメモリカードに録音指示を行った際メモリカードがスロットに挿入されていないときには、その後にメモリカードを挿入する迄ＣＤの再生出力を一時停止しておくことができ、メモリカードを挿入したときには利用者がＣＤを録音したいと思った状態から録音を開始する事が可能となる。
【００３２】
また、本発明に係る他のプレーヤは、前記プレーヤにおいて、前記録音または録画指示入力時に、録音または録画の著作権保護の状態を検出する著作権保護検出手段を備え、前記切換制限手段は、前記著作権保護検出手段が前記録音または録画は著作権保護により不能であることを検出したとき、前記切換制限を行わないようにしたものである。このように構成することにより、例えば前記のような作動例において、ＣＤの再生出力中にメモリカードに録音指示を行った際、例えばメモリカードへの録音回数制限を著作権保護検出手段が検出し、今回の録音はこの録音回数制限によって録音不能であると判別したときには、その後メモリカードを挿入したとき通常作動としてのメモリカードへの出力切り換えを行い、利用者に対して先の録音指示は不適切であったことを機器の作動状態によって知らせることができる。
【００３３】
また、本発明に係る他のプレーヤは、前記プレーヤにおいて、前記著作権保護検出手段は、出力ソースの著作権保護の状態と、録音ソースの著作権保護の状態とを検出するようにしたものである。このように構成することにより、例えば前記のような作動例において、ＣＤの再生出力中にメモリカードに録音指示を行った際、例えばＣＤのコピーガード等の著作権保護の状態、及びメモリカードへの録音回数制限等の著作権保護の状態の両方を検出し、いずれかの著作権保護によって今回の録音は録音不能であるときには、その後メモリカードを挿入したとき通常作動としてのメモリカードへの出力切り換えを行い、利用者に対して先の録音指示は不適切であったことを機器の作動状態によって知らせることができ、より確実な案内を行うことができる。
【００３４】
また、本発明に係る他のプレーヤは、前記プレーヤにおいて、前記挿抜可能メディアの録音または録画制限を検出する録音または録画制限検出手段を備え、前記録音または録画制限検出手段が前記録音または録画指示は前記挿抜可能メディアに対する指示として不適切であることを検出したとき、前記切換制限を行わないようにしたものである。このように構成することにより、例えば前記のような作動例において、ＣＤの再生出力中にメモリカードに録音指示を行った際、その後挿入したメモリカードが記録禁止操作がなされ、或いはメモリの空き容量がないときのように録画制限が存在することを検出したときには、その後メモリカードを挿入したとき通常作動としてのメモリカードへの出力切り換えを行い、利用者に対して挿入したメモリカードが先の録音指示に対して不適切なものであることを機器の作動状態によって知らせることができる。
【００３５】
また、本発明に係る他のプレーヤは、前記プレーヤにおいて、プレーヤの作動終了時に選択出力していたソースを記憶するメモリを備え、前記出力ソース選択手段は、プレーヤの作動開始時に前記メモリに記憶しているソースを選択して出力するようにしたものである。このように構成することにより、プレーヤの作動終了後に再度このプレーヤの作動を開始するとき、プレーヤの作動終了時のソースを自動的に出力状態にすることができ、利用者が頻繁に使用するソースを自動的に選択して出力することができる。
【００３６】
また、本発明に係る他のプレーヤは、前記プレーヤにおいて、前記メモリにはプレーヤ作動終了時に選択出力していたソースの出力終了位置も記憶し、前記出力選択手段は、プレーヤの作動開始時に前記メモリに記憶しているソースを選択し、前記メモリに記憶している当該ソースの出力終了位置から作動を開始するようにしたものである。このように構成することにより、プレーヤの作動終了後に再度このプレーヤの作動を開始するとき、プレーヤの作動終了時のソースを自動的に選択し、且つそのソースを利用していた最後の状態から出力を開始することができる。そのため、利用者が頻繁に使用するソースを自動的に選択して、先の出力状態から継続して出力することができるようになる。
【００３７】
また、本発明に係る他のプレーヤは、前記プレーヤにおいて、前記挿抜可能メディアを扱うソースを含む複数の録音または録画可能ソースと、前記複数の録音または録画可能ソースの内１つを選択する録音または録画ソース選択手段と、前記録音または録画指示入力時にいずれの録音または録画可能ソースを選択するかを記憶するメモリとを備え、前記録音または録画ソース選択手段は、他からの選択指示がないときには前記メモリに記憶した録音または録画可能ソースを選択するようにしたものである。このように構成することにより、そのプレーヤに例えばメモリカードのほかＭＤ等の他の録音可能なソースを備えているとき、通常の録音ソースとしてメモリカードを利用する旨を記憶させておくことにより、前記のように利用者が録音指示したときには特にＭＤに録音する旨の指示を行わない限り、直ちに通常録音用ソースとして使用するメモリカードに録音することが可能となる。
【００３８】
また、本発明に係る他のプレーヤは、前記プレーヤにおいて、前記出力ソース選択手段は、前記メディア挿抜検出手段によりメディアが挿入されている録音または録画可能ソースを検出して選択するようにしたものである。このように構成することにより、例えば前記の例のようにそのプレーヤにメモリカードのほかＭＤ等の他の録音可能で挿抜可能なソースを備えているとき、前記のように利用者が録音指示したときには、これらの挿抜可能なソースの中でメモリカードが挿入されておらず、ＭＤが挿入されているとき、実際にメディアが挿入されれているＭＤに対して直ちに録音を行うことができ、利用しやすいプレーヤとすることができる。
【００３９】
また、本発明に係る他のプレーヤは、前記プレーヤにおいて、利用者に操作の案内を行う利用者案内用出力手段を備え、前記メディア挿抜検出手段が前記挿抜可能メディアへの録音または録画指示入力時に当該メディアが挿入されていないことを検出したとき、利用者に当該メディアの挿入を促す出力を行うようにしたものである。このように構成することにより、利用者が例えば録音指示を行ったとき、録音指示を行ったソースのメディアが挿入されていないことを直ちに知ることができ、所定時間内にそのメディアを挿入することが容易となる。
【００４０】
また、本発明に係る他のプレーヤは、前記プレーヤにおいて、前記利用者への操作の案内は、所定の制限以内に行うようにしたものである。このように構成することにより、利用者が例えば録音指示を行ったとき、録音指示を行ったソースのメディアが挿入されていないことを案内する例えばビープ音等があまりにも長時間継続して、利用者に不快感を与えることを防止することができる。
【００４１】
【発明の実施の形態】
本発明の実施の形態を図面に沿って説明する。図１は本発明をオーディオプレーヤに適用した実施例の機能ブロック図であり、図２に示す同オーディオプレーヤにおける詳細な機能ブロック図における各機能について、主要機能を互いに関連づけて示した図である。したがって、図１において示す各機能部は、図２に示す詳細な機能部を抽出して示している。なお、これらの機能ブロック図において各機能部は、各機能を行う手段ということができる。
【００４２】
図１に示すオーディオプレーヤにはオーディオ出力機器としてのオーディオソース４３としてＡＭ放送、ＦＭ放送、各種デジタル放送等の放送を受信するラジオ放送受信機４４、ＣＤプレーヤ４５、録音可能ソース４６であってそのソースのメディアが挿抜可能である、ＭＰ３等のオーディオデータを記録したＣＤ−Ｒを再生するＣＤ−Ｒプレーヤ５２、ＭＤプレーヤ５０、内蔵のメモリチップにＭＰ３等のオーディオデータを記録したメモリカードのデータを読み出して出力すると共に必要に応じて録音も可能であるメモリカードプレーヤ４９を備えた例を示している。
【００４３】
これらのオーディオソースの内、ＣＤプレーヤ４５、ＣＤ−Ｒプレーヤ５２、ＭＤプレーヤ５０、メモリカードプレーヤ４９等のプレーヤはメディアを挿抜する事ができるメディア挿抜可能ソースであり、これらのオーディオソースにおいて、ＣＤ−Ｒ、ＭＤ、メモリカードを録音可能ソースとしている。したがってシステムコントローラ１１によって制御されるオーディオ出力制御部１２は、オーディオ出力ソース選択部２５においてこれらのオーディオソースの中から１つだけ選択して出力し、アンプ３９を介してスピーカー２４からオーディオ出力を行うようにしている。
【００４４】
このオーディオ出力ソース選択部２５においては、利用者指示入力部１８から利用者がオーディオ機器に設けた各種入力キー、或いはリモコンに備えた入力キー等を操作することにより任意のオーディオソースを選択して出力することができるようにしている。また、メディア挿抜検出部３０から特定のメディアがプレーヤに挿入された信号をシステム制御部１１を介して入力したとき、直ちにその挿入されたメディアを扱うオーディオソースに出力を選択することを原則的な作動としている。
【００４５】
また、システムコントローラ１１によって制御される録音制御部１３は、録音ソース選択部４０において、例えば利用者指示入力部１８から利用者の録音機器選択指示の入力があったとき、ＣＤ−Ｒ、ＭＤ、メモリカードの録音可能ソースの内の指示された１つの録音ソースに対して録音を行うように指示信号を出力する。それにより、オーディオ出力ソース選択部２５から出力するオーディオを任意の録音ソースで録音することができるようにしている。但し、例えばＭＤを再生して出力しているときにはそのＭＤには録音することが無いように録音制限判別部３８によって判別し、再生中のオーディオソースには録音しないように選択される。
【００４６】
このように利用者指示入力部１８から利用者の録音指示信号が入力したとき、その信号はシステムコントローラ１１を介してオーディオ出力ソース選択部２５に出力して録音待機状態とする。その後、この録音指示における利用者が選択した録音ソースにメディアが挿入されていないことをメディア挿抜検出部３０の信号で検出したとき、メディア挿入タイミング検出部３１からその後所定時間を経過したことを示す信号が入力する前にメディア挿抜検出部３０から所定のメディアが挿入された信号を入力した際には、前記オーディオ出力ソースの選択における原則的な作動に関わらず、挿入されたメディアを扱うソースに対する出力切り換えを行わないようにしている。
【００４７】
なお、この実施例においては著作権保護状態検出部３５を備え、例えば挿抜可能な録画可能メディアとしてメモリカードが選択されているとき、メモリカードが著作権保護の規定に準拠して各種の録音条件が記録されている際に、その条件を検出する事ができるようにしている。このような著作権保護状態の検出により、挿入されたメディアがその著作権保護条件によって録音できない状態になっているとき、利用者に対して例えばオーディオプレーヤの表示画面にその旨を表示し、また、オーディオ出力ソース選択部２５においては前記のような所定の条件内でのメディア挿入に関わらずオーディオ出力を切り換えないようにする制御を行うことなく、メディア挿入により直ちにそのメモリカードに記録されているオーディオデータの再生出力を行うようにする。このような作動によって利用者は、録音指示を行ったにもかかわらず別のソースが出力作動状態になったことを知り、その録音は不能であったことを知ることもできるようになる。
【００４８】
また、録音制限判別部３８においては、前記のような現在再生出力機器に対する録音指示の制限、各録音可能メディアの書き込み防止の状態、録音可能領域の程度等を検出し、録音制御及び録音ソースの選択に際して参考になるデータを提供する。表示画面２３には利用者に対する種々の案内を表示することができるが、このオーディオ装置とナビゲーション装置が近接して配置されているときには、ナビゲーション装置のモニタ画面を利用することもできる。
【００４９】
図１の機能ブロック図における各機能をより詳細に示したものが図２であり、図２においては各機能部がシステムコントローラ１１に接続して相互に関連して制御が行われるようにしている。図２のオーディオプレーヤにはオーディオ出力制御部１２と、録音制御部１３を備えており、オーディオ出力制御部１２においては、後述するようなオーディオ出力を行う各種機能部を総合的に制御し、所定のソースを選択して出力する。また、録音制御部１３においては、後述するような録音を行う各種機能部を総合的に制御し、所定の録音を行うことができるようにしている。
【００５０】
利用者案内用出力部１４においては、例えばオーディオ装置の表示画面等の入力案内表示部２３の表示を利用者が見ることにより、的確な指示入力を行うことができるようにしており、例えば各種オーディオソースの中から任意の選択を行うことができるようにするオーディオ出力選択案内部１５を備えている。また、各種の録音可能ソースの中から利用者が希望する録音可能ソースを的確に指示入力できる案内を行う録音ソース選択案内部１６を備え、録音を行うべきソースとして選択したソースが挿抜式のメディアであってそのメディアが未だ挿入されていないときに挿入を促す案内を行う録音メディア挿入案内部１７等の各種の案内部を備えている。
【００５１】
利用者指示入力部１８にはオーディオ出力機器の選択を任意に行うためのオーディオ出力機器選択部１９、録音するソースの選択指示を行う録音ソース選択指示部２０、録音の開始を指示する録音指示部２１、録音を停止する指示を行う録音停止指示部２２等の指示入力部を備えている。但し、そのほか必要に応じて利用者が行う種々の選択指示、操作指示を行うことができる機能部を備えてもよい。また、入力案内表示部２３は前記のような利用者案内用出力部１４で出力される案内用画面を表示し、利用者が容易に選択入力や指示入力を行うことができるようにする。
【００５２】
オーディオ出力ソース選択部２５においては後述するような種々のオーディオソースから任意のソースを選択して出力するものであり、初期出力ソース選択部２６を備えている。この初期出力ソース選択部２６においては、オーディオ装置の電源を入れたとき、リジューム用メモリ２８に対して、以前そのソースの出力を行ったとき、最後のデータ位置を記録しているときには、そのソースを初期出力ソースとして選択する。また、このようなリジューム用メモリ２８を備えない時、或いは備えていてもプレーヤの初期状態で記録データがないとき、さらにはメモリがクリアされてしまっているとき等には、初期出力ソース設定メモリ２７に記録されている予めプレーヤに設定入力している所定のソースを初期出力ソースとして選択する。
【００５３】
メディア挿抜検出部３０においては前記図１の説明において述べたように、挿抜式メディアを使用するソースにおいて、メディアの挿抜状況を検出する。メディア挿入時期検出部３１には録音指示入力時刻検出部３２を備え、録音指示の入力があった時刻を検出する。また、経過時間検出部３３においては、前記のような録音指示入力があった時刻からの経過時間を検出している。メディア挿入タイミング判別部３４においては、前記経過時間検出部３３で検出した経過時間が予め決められた、例えば３分等の所定の時間内にメディアが挿入されたか否かを判別する。その信号はシステムコントローラ１１を介してオーディオ出力ソース選択部２５において、オーディオ出力の選択に際して利用する。
【００５４】
著作権保護状態検出部３５には例えばオーディオ出力を行う、或いは行っているＣＤの著作権保護の状態を検出するような、出力ソース状態検出部３６と、例えば録音選択指定ソースがメモリカードであるとき、録音回数等の著作権保護の状態を検出する録音ソース状態検出部３７を備えている。
【００５５】
録音ソース選択部４０においては、後述するような種々のオーディオソースの中からこのプレーヤにおいて録音可能としているソースを検出する録音可能ソース検出部４１と、利用者が録音を行うソースの選択を行わないときに予め定めた録音ソースを選択することができるように、そのソースを記録した録音可能ソース初期設定メモリ４２を備えている。
【００５６】
このオーディオプレーヤで利用することができるオーディオソース４３として、現在利用可能な種々のオーディオソースを例示しており、録音を行わないオーディオソースとしてＡＭ放送、ＦＭ放送、各種デジタル放送等の放送を受信するラジオ放送受信機４４、ＣＤプレーヤ４５を備えている。また、録音を行うことが可能なオーディオソースとしての録音可能ソース４６としては、挿抜を行うことなく内蔵されるソースであるハードディスク４７を備え、挿抜可能ソース４８として内蔵のメモリチップにＭＰ３等のオーディオデータを記録したメモリカード４９のデータを読み出して出力し、適宜録音を行うメモリカードプレーヤ４９を備えている。なお、ハードディスクとしては挿抜可能なカード式のハードディスクを使用することもできる。
【００５７】
また、ＭＤＬＰを含むＭＤを再生し適宜録音するＭＤプレーヤ５０、アナログで再生及び録音を行うカセットテーププレーヤ５１、ＭＰ３等のオーディオデータを記録したＣＤ−Ｒを再生し、プレーヤの機能によってオーディオデータを１度だけ記録するＣＤ−Ｒプレーヤ５２、同様に複数回の記録を行うことができるＣＤ−ＲＷプレーヤ、所定のフォーマットによって記録しているＤＶＤオーディオを再生し、プレーヤの機能によっては録音することができるオーディオ用ＤＶＤプレーヤ５４、さらにはカセットテープにデジタルで録音し再生可能なＤＡＴプレーヤ５５等を備えることが可能である。
【００５８】
これらは一例であり、そのほか今後例えば青色レーザを用いたオーディオ記録媒体、ナノテクノロジーを利用した各種オーディオ記録媒体等の種々のオーディオソースの出現が予想されており、それらも適宜利用することができるのは当然である。また、前記ＣＤ−ＲとＣＤ−ＲＷは１つのプレーヤとしてまとめられ、ＤＶＤプレーヤともまとめることも可能である。
【００５９】
上記のような機能ブロックから構成されるオーディオプレーヤにおいては、例えば図３に示す基本作動フローに従って順に作動させることができる。以降は前記機能ブロックを参照しつつ、また、同作動フローの処理において、その処理をより詳細に示した図４乃至図６を参照しつつ説明する。
【００６０】
図３に示すオーディオプレーヤの再生・録音処理においては、最初にこのプレーヤの電源が入れられ（ステップＳ１）、直ちに先に使用していたソースを記録しているか否かの判別がなされる（ステップＳ２）。この判別は図２のオーディオ出力ソース選択部２５における初期出力ソース選択部２６において、リジューム用メモリ２８に、先にこのプレーヤ使用し、最終的にこのプレーヤを停止したときに使用していたオーディオソースを記録しているか否かを検出することにより判別される。
【００６１】
このステップＳ２において先に使用していたソースをリジューム用メモリに記録していると判別したときには、これを読み出してそのソースを選択して出力状態とし（ステップＳ３）、また、先に使用していたソースを記録していないと判別したときには、初期設定ソースを選択して出力状態にする（ステップＳ１５）。これは前記初期出力ソース選択部２６が、初期出力ソース設定メモリ２７に記録されている初期設定のソースを読み出すことにより行う。
【００６２】
前記各作動によって電源が入れられた後の所定のソース選択によるオーディオ出力が行われ、その後録音の指示入力があったか否かの判別を行う（ステップＳ４）。ここで録音の指示入力がなかったと判別したときには、後に述べる図５に示すような出力ソースの選択処理を行い、オーディオプレーヤに出力停止指示があったか否かを判別し（ステップＳ１１）、停止指示がなかったときには再び前記録音の指示入力があったか否かの判別を行って、録音の指示入力がない限りこの作動を繰り返した後、オーディオプレーヤの出力停止指示があったときにこのオーディオプレーヤの出力を停止し（ステップＳ１２）、この作動フローを終了することとなる（ステップＳ１４）。従ってこの作動フロー部分がこのオーディオプレーヤに録音指示入力がないときの基本的な作動を行うための作動フローとなる。
【００６３】
一方、前記ステップＳ４において録音の指示入力があったと判別したときには、後に述べる図４に示すような録音可能ソースの選択処理を行う（ステップＳ４）。このステップＳ４で適切な録音可能ソースの選択が行われた後、選択した録音可能なソースはメディアが挿抜可能なソースであるか否かを判別する（ステップＳ６）。この判別は、予めこのオーディオプレーヤで使用しているオーディオソースごとに対応して、挿抜可能であるか否かのデータをメモリに記録しておき、上記のように録音可能ソースの選択が行われた後、このメモリからそのソースは挿抜可能であるか否かを読み出すことによって行うことができる。
【００６４】
ステップＳ６において、前記選択された録音可能ソースが挿抜可能のソースであると判別したときには、後述する図６に示すような挿抜可能ソースへの録音処理を行う。なお、本発明の主要な作動はこの処理部分であるので、後に詳述する。ステップＳ６において録音可能ソースは挿抜可能なソースではないと判別したときには、例えば内蔵式ハードディスクに録音するように選択した場合であり、このような場合は直ちにこのハードディスクに録音を開始する（ステップＳ１３）。但し、図示を省略しているが、現在出力が選択されているソースがＣＤであり、そのＣＤがコピーガード処理がなされているときは、ここで後述するような著作権保護による録音制限付きの録音に該当するものとして、録音するソースの種類に関わらず、録音を行わないように処理することもできる。
【００６５】
前記ステップＳ７及びステップＳ１３の録音処理のいずれが行われた後に、録音停止指示があったか否かの判別を行い（ステップＳ８）、未だ利用者から録音の停止指示がないと判別したときには次いで、例えば録音用メディアにデータ記録可能領域が無くなった等の、録音停止条件になったか否かを判別する（ステップＳ９）。ここで、未だ録音停止条件になっていないと判別したときには、再びステップＳ８に戻って録音停止指示があったか否かを判別し、以降何らかの停止条件になるまでこの作動を繰り返す。
【００６６】
その後ステップＳ８において録音停止指示があったと判別したとき、及びステップＳ９で録音停止条件になったと判別したときにはステップＳ１０に進み、この録音の作動を停止する。このときは録音が行われていた出力ソースの出力状態が継続されており、前記ステップＳ７４での処理後と同様に、オーディオプレーヤ自体に停止指示があったか否かを判別し（ステップＳ１１）、停止指示が未だ無いときにはステップＳ４に進んで前記作動を繰り返し、停止指示があったときにはオーディオプレーヤの出力を停止し（ステップＳ１２）、この作動フローの処理を終了する（ステップＳ１４）。
【００６７】
前記図３のステップＳ５における録音可能ソースの選択処理に際しては、図４に詳細に示すように、最初録音可能ソースは複数あるか否かを判別し（ステップＳ２１）、図１及び図２に示すように複数存在するときには録音可能ソースの第１候補は予め決められているか否かの判別を行う（ステップＳ２２）。この判別は図２の録音ソース選択部４０における録音可能ソース初期設定メモリに初期設定の録音ソースのデータが存在するか否かによって判別する。ここで特に決められていないと判別したときには、利用者に対して録音可能ソースの選択を促す出力を行う（ステップＳ２３）。この作動は図２の利用者案内用出力部１４における録音ソース選択案内部１６によって、入力案内表示部２３にこれを表示することにより行う。
【００６８】
その後図２の利用者指示入力部１８における、録音ソース選択指示部２０で利用者によって録音可能ソースの選択入力がなされることとなる（ステップＳ２４）。前記ステップＳ２１において録音可能ソースは１つしかないと判別したとき、及び前記ステップＳ２２において録音可能ソースが複数あるもののその録音可能ソースの第１候補が予め決められていると判別したときには、それら唯一の録音可能ソース、或いは予め決められた録音可能ソースに録音指示を行い（ステップＳ２５）、前記ステップＳ２４の処理を終了した場合と共にステップＳ２６に進み、図３のステップＳ６に進む。
【００６９】
前記図３のステップＳ１４における出力ソースの選択処理に際しては、図５に示すように、最初ソースの変更指示はあるか否かの判別を行う（ステップＳ３１）。その判別の結果ソースの変更指示がないと判別したときには、メディア挿抜式ソースにおいてメディアが挿入されたか否かを判別し（ステップＳ３２）、挿入されたときには挿入されたメディアを使用するソースを選択し出力する（ステップＳ３３）。このように、このオーディオプレーヤにおいて少なくとも録画の指示がないときには、メディア挿抜式ソースにおいてメディアが挿入された際には直ちに挿入されたメディアを使用するソースを選択して出力することを基本的な出力作動としている。
【００７０】
前記ステップＳ３１においてソースの変更指示があったと判別し、ステップＳ３４においてその指示通りにソースの切り換えを行う。また前記ステップＳ３２においてメディア挿抜式ソースにメディアの挿入が特になかったと判別したときには、前記ステップＳ３３における選択出力を行ったとき、及び前記ステップＳ３４においてソースの切換処理を行ったときと共に、前記のように図３のステップＳ１１に進み（ステップＳ３５）、前記のようにこのプレーヤの基本的な出力処理を継続する。
【００７１】
図３のステップＳ７で行われる挿抜可能ソースへの録音処理に際して、図６に示す例においては、最初著作権保護による録音制限付きの録音であるか否かの判別を行っている（ステップＳ４１）。即ち、現在再生出力中のソースがコピーガードがかかっている場合、或いは録画可能な挿抜可能ソースが例えばメモリカードのような場合であって、著作権保護の規定により例えば３個のコピーのみ可能であり、４個めからは先にコピーしたデータを元のソースに戻す等の操作を行わなければコピーすることができないように設定している場合には、これらの著作権保護がなされていることを検出し、判別する。
【００７２】
ここでこのたびの録音が著作権保護による録音制限付きであると判別したときには、今回の録音は録音制限を満たしているか否かを判別する（ステップＳ４２）。これらの著作権保護の条件は図２における著作権保護状態検出部３５で録音元及び録音先のソースについて検出することによって行うことができる。このステップＳ４２においてこれから録音しようとしている録音操作が前記著作権保護の制限を満たしていると判別したとき、及び前記ステップＳ４１において著作権保護による録音制限付きの録音ではないと判別したときには、次いでメディアは挿入されているか否かを判別する（ステップＳ４３）。ここで未だメディアは挿入されていないと判別したときには、そのメディアの挿入を促す出力を行う（ステップＳ４４）。この処理は図２における利用者案内用出力部１４の録音メディア挿入案内部１７において行う。
【００７３】
次いでその後にメディアは挿入されたか否かの判別を行い（ステップＳ４５）、挿入されていないと判別したときには録音指示があったときから所定時間以上経過したか否かを判別し（ステップＳ４９）、例えば３分等の所定時間以上経過していないと判別したときには、メディアの挿入を促す出力は所定回数以上行ったか否かを判別する（ステップＳ５０）。ここで未だ所定回数以上メディアの挿入を促す出力を行っていないと判別したときにはステップＳ４４に戻り、メディアの挿入を促す出力を行うと共に、再びメディアは挿入されたか否かを判別（ステップＳ４５）する。
【００７４】
この作動を繰り返しているとき、ステップＳ５０においてメディアの挿入を促す出力が所定回数以上になったと判別したときには利用者にかえってうるさいイメージを与えるのでステップＳ４５に進み、前記ステップＳ４４のメディアの挿入を促す出力を行うことなく、メディアは挿入されたかの判別を行う。その後ステップＳ４９において、録音指示後所定時間以上経過したと判別したときには、先の録音指示は解消して（ステップＳ５１）、図３のステップＳ４に戻り（ステップＳ５３）、現在のオーディオ出力を継続しつつ再び録音の指示入力があるか否かの判別を行い、前記作動を繰り返す。
【００７５】
前記ステップＳ４９において録音指示後所定時間以上経過していないと判別している状態で、ステップＳ４５においてメディアは挿入されたと判別したときには、そのままのソース出力選択の状態で直ちに挿入されたメディアに対して録音を開始しする（ステップＳ４６）。但し、このとき、利用者が再度出力ソースの作動開始、或いは録音開始指示を行うことにより実際の録画を開始するようにしてもよい。それにより、利用者に対して先の録音指示は不適切であったことを機器の作動状態によって知らせることもできる。その後図３のステップＳ８に進み（ステップＳ４８）、録音と停止指示があるか否かの判別を行って、以降前記の処理を行う。
【００７６】
上記のような処理を行う結果、このオーディオプレーヤにおいては前記のように、少なくとも録音の指示がないときには、メディア挿抜式ソースにおいてメディアが挿入された際には直ちに挿入されたメディアを使用するソースを選択して出力することを基本的な作動としているにも関わらず、録音指示後所定時間以上経過したか否かの判別によって、前記所定時間以内に所定の録音可能メディアを挿入したと判別したときには出力ソースを切り換えることなく、そのまま挿入されたメディアに録音を開始するようにしている。
【００７７】
そのため、前記本発明の課題としている、プレーヤが特定のソースの出力側に切り換えられているときに挿抜式ソースにメディアを挿入した際、そのプレーヤを挿抜式ソースの再生出力側に切り換える機能を備えたプレーヤにおいて、その特定のソースの出力側に切り換えているとき挿抜式ソースに対して録音指示を行った際においてメディアが挿入されていない場合には、メディアが挿入されたときにそのメディアのオーディオ出力に切り換えることなく、直ちにそのメディアに対して録音を開始するようにするという課題の解決が可能となる。
【００７８】
一方、前記ステップＳ４２において、今回の録音は録音制限を満たしていないと判別したときには、録音が不能であることを例えば画面表示し、或いはチャイム音を出力し、或いは警告ブザー等の各種出力を行い（ステップＳ５２）、前記ステップＳ５１の処理後と同様に、図３のステップＳ４に進んで、以降の録音指示入力を待ちつつソース出力の継続作動を行う上記の作動を繰り返す。
【００７９】
また、前記ステップＳ４３においてメディアは既に挿入されていると判別したときには、直ちに録音を開始し（ステップＳ４７）、その後前記ステップＳ４６における挿入されたメディアに録音を開始したときと共に、図３のステップＳ８に進んで、前記と同様に、録音の停止指示があるか否かを判別して、以降同様の作動を繰り返して録音の継続、及びその録音の停止処理を行う。
【００８０】
上記実施例は本発明をオーディオプレーヤに適用した例を示したものであるが、モニタ画面に映像を出力するビデオプレーヤにおいても同様に適用することができ、その際には前記図１に示す機能ブロック図に対応するものとしての、図７に示す機能ブロック図によって実施することができる。
【００８１】
即ち図７に示すビデオプレーヤにおいては、映像ソース７５であって録画できないソースとしてテレビ放送受信機７６とＤＶＤプレーヤ７７を備え、録画可能ソース７８であり挿抜可能なソースとしてカセットビデオプレーヤ７９、ＤＶＤディスクに記録し再生を行うＤＶＤ±Ｒ及びＲＷプレーヤ８０、近年大容量化しておりＭＰＥＧ等で映像を記録するメモリカード８１を備えた例を示している。
【００８２】
システムコントローラ６１には映像制御部６２と録画制御部６３とが接続し、各々映像出力の総合制御、及び録画の総合制御を行うことができるようにしている。また前記図１のオーディオ出力ソース選択部２５に対応するものとして映像出力ソース選択部６４を備え、前記図１の録音可能ソース選択部４０に対応するものとして録画可能ソース選択部６５を備えている。また、映像出力ソース選択部６４で選択された映像には、その映像に付随する音声も当然含まれており、したがってこのソースの出力のうち映像は表示画面６８に表示され、その映像と関連する音声はアンプ６６を介してスピーカー６７から出力する。
【００８３】
また、前記図１に示すオーディオプレーヤと同様に、利用者指示入力部７０、録画制限判別部７１、著作権保護状態検出部７２、メディア挿入時期検出部７３、メディア挿抜検出部７４等を備えており、前記図１と同様の処理を行っているのでその説明は省略する。
【００８４】
このような機能ブロックからなるビデオプレーヤにおいて、本発明の主要部をなす、前記オーディオプレーヤについては図６に示す処理と同様の処理を、図７に示す作動フローに従って順に作動させることができる。この挿抜可能ソースへの録画処理についても前記図６に示す作動フロートほぼ同様に処理がなされ、ステップＳ６１における映像出力中に録画指示の入力がなされた後の処理として、再生出力中のソースは著作権保護により録画が可能であるか否かを判別し（ステップＳ６２）、例えば著作権保護のなされた市販のＤＶＤの選択出力中である場合や、録画ソースとしてのメモリカードに前記と同様の著作権保護の規制がかけられ、今回の録画がその規制により禁止されているような場合には、ここで再生中のソースは著作権保護付きのソースであると判別し、録画が不能であることを画面表示し、或いはチ案内音声を出力し、或いは警告ブザー等の各種出力を行い（ステップＳ７２）、現在の映像出力をそのまま継続する（ステップＳ７３）。
【００８５】
前記ステップＳ６２において、出力中のソースは著作権保護付きのソースではないと判別され、或いは録画ソースとしてのメモリカード等が著作権保護付きであっても今回はその規制条件を満たしていると判別したときには、挿抜可能ソースのメディアは挿入されているか否かの判別を行う（ステップＳ６３）。ここで挿抜可能ソースのメディアは挿入されていると判別したときには直ちに録画を開始し（ステップＳ６７）、録画停止信号の入力まで録画を継続する（ステップＳ６８）。
【００８６】
前記ステップＳ６３において、挿抜可能ソースのメディアは挿入されていないと判別したときには、前記オーディオプレーヤの作動と同様に、メディアの挿入を促す出力を行い（ステップＳ６４）、その後メディアは挿入されたか否かを判別する（ステップＳ６５）。ここで未だメディアは挿入されていないと判別したときには、前記録画を開始指示した時点から所定時間以上経過したか否かを判別し（ステップＳ６９）、未だ例えば３分等の所定時間以上は経過していないと判別したときには、メディアの挿入を促す出力は所定回数以上行ったか否かの判別を行う（ステップＳ７０）。ここで未だ所定の回数以上メディアの挿入を促す出力を行っていないと判別したときには、ステップＳ６４に戻って、メディアの挿入を促す出力を行い、以降同様の作動を繰り返す。
【００８７】
前記ステップＳ７０においてメディアの挿入を促す出力は所定回数以上行ったと判別したときには、ステップＳ６５に進み、以降はメディアの挿入を促す出力を停止し、メディアは挿入されたか否かの判別を行って、前記と同様の作動を繰り返す。前記ステップＳ６９において、録画開始指示があってから所定時間以上経過したと判別したときには、先の録画の指示は解消し（ステップＳ７１）、ステップＳ７３に進んで現在の映像出力を継続する。
【００８８】
前記ステップＳ６５においてメディアが挿入されたと判別したときには、挿入されたメディアに録画を開始し（ステップＳ６６）、ステップＳ６８に進んで録画の停止信号が入力するまでこの録画を継続する。なお、同図には図示されていないが、例えばＤＶＤ±ＲやＲＷの録画容量を超えたような場合には、図７の録画制限判別部７１でこれを検出し、その録画を停止する。
【００８９】
それにより、このビデオプレーヤにおいては前記のように、少なくとも録画の指示がないときには、メディア挿抜式ソースにおいてメディアが挿入された際には直ちに挿入されたメディアを使用するソースを選択して出力することを基本的な作動としているにも関わらず、録画指示後所定時間以上経過したか否かの判別によって、前記所定時間以内に所定の録画可能メディアを挿入したと判別したときには出力ソースを切り換えることなく、そのまま挿入されたメディアに録画を開始するようにしている。
【００９０】
そのため、前記本発明の課題としている、プレーヤが特定のソースの出力側に切り換えられているときに挿抜式ソースにメディアを挿入した際、そのプレーヤを挿抜式ソースの再生出力側に切り換える機能を備えたプレーヤにおいて、その特定のソースの出力側に切り換えているとき挿抜式ソースに対して録画指示を行った際においてメディアが挿入されていない場合には、メディアが挿入されたときにそのメディアの映像出力に切り換えることなく、直ちにそのメディアに対して録画を開始するという課題を解決することが可能となる。
【００９１】
本発明においては、１つのプレーヤに複数のソースを備え、これらのソースを任意に切り換えて出力するようにしたプレーヤに関するものであるが、このときの「プレーヤ」はこれらの複数のソースを１つの制御装置によって一体的に制御することができるソースであれば必ずしも１つの機体に一体的に装備している必要はなく、例えばカーオーディオにおけるヘッドユニットに対して各種プレーヤ或いはチェンジャ等のソースを接続し、これらが一体的に制御することができるものも１つのプレーヤとみることができる。その際、例えば家庭用ＡＶききやパソコンにおいて、ｉリンクで接続されたソースや無線や有線のＬＡＮによって接続されたソースにおいても、接続されたソースが一体的に制御することができるならばこれらも１つのプレーヤということができる。
【００９２】
【発明の効果】
本発明は、上記のように構成したので、プレーヤが特定のソースの出力側に切り換えられているときに挿抜式ソースにメディアを挿入した際、そのプレーヤを挿抜式ソースの再生出力側に切り換える機能を備えたプレーヤであっても、その特定のソースの出力側に切り換えているとき挿抜式ソースに対して録音または録画指示を行った際においてメディアが挿入されていない場合には、メディアが挿入されたときに直ちに録音または録画を開始することができるようになり、メディアを挿入した後録音を開始する際の操作を減らすことができる。
【図面の簡単な説明】
【図１】本発明をオーディオプレーヤに適用した実施例の概要機能構成を示す機能ブロック図である。
【図２】本発明をオーディオプレーヤに適用した実施例の詳細機能構成を示す機能ブロック図である。
【図３】本発明をオーディオプレーヤに適用した実施例の、再生と録音処理における基本作動フロー図である。
【図４】同実施例の基本作動フローにおける録音可能ソースの選択処理を行う作動フロー図である。
【図５】同実施例の基本作動フローにおける出力ソースの選択処理を行う作動フロー図である。
【図６】同実施例の基本作動フローにおける挿抜可能ソースへの録音処理を行う作動フロー図である。
【図７】本発明をビデオプレーヤに適用した実施例の概要機能構成を示す機能ブロック図である。
【図８】本発明をビデオプレーヤに適用した実施例の挿抜可能ソースへの録画処理を示す作動フロー図である。
【符号の説明】
１１  システムコントローラ
１２  オーディオ出力制御部
１３  録音制御部
１８  利用者指示入力部
２３  表示画面
２４  スピーカ
２５  オーディオ出力ソース選択部
３０  メディア挿抜検出部
３１  メディア挿入時期検出部
３５  著作権保護状態検出部
３８  録音制限判別部
３９  アンプ
４０  録音可能ソース選択部
４３  オーディオソース
４４  ラジオ放送受信機
４５  ＣＤ
４６  録音可能ソース
４９  メモリカード
５０  ＭＤ
５２  ＣＤ−Ｒ
【図１】
2005004937.tif 000003
【図２】
2005004937.tif 000004
【図３】
2005004937.tif 000005
【図４】
2005004937.tif 000006
【図５】
2005004937.tif 000007
【図６】
2005004937.tif 000008
【図７】
2005004937.tif 000009
【図８】
2005004937.tif 000010